(57)【特許請求の範囲】
【請求項１】
容器状の第１担体の内部に、単一の第２担体が収納されている水処理用濾材であって、
前記第１担体は、一体的に形成され、外形及び内面形状が概して立方体状を呈し、
前記第２担体は、外形形状が概して立方体状を呈し、吸水によって膨張する連続気孔を含む多孔質の材料からなり、
前記第１担体は、立方体を構成する６面の全てに液体の進入及び流出を許す複数の開口部が形成され、前記開口部のうち少なくとも１つの開口部は、水を吸収する前の前記第２担体を前記第１担体の内部に押し込むように収納可能な大きさに形成され、
前記第２担体は、前記第１担体の内部に収納された状態で水を吸収すると、膨張期間の間に前記第１担体の内面を構成する６面に沿った姿勢へと調整される水処理用濾材。
【請求項２】
前記第２担体の膨張時の寸法が前記第１担体の内寸法の０．９〜１．１倍となるように前記第２担体の膨張時の外形寸法あるいは前記第１担体の内寸法を定めてある請求項１に記載の水処理用濾材。
【請求項３】
前記複数の開口部どうしを区切る区切り部の形状が、前記第１担体の上下の２面を除く４つの側面で十字状である請求項１又は２に記載の水処理用濾材。
【請求項４】
前記第１担体は、上面に設けられた区切り部と下面に設けられた区切り部とが、上下の軸芯に沿った投影面上で互いに補完し合うように配置されている請求項１から３のいずれか一項に記載の水処理用濾材。
【請求項５】
前記第１担体の８つの角部は丸みを帯びた形状を備えている請求項１から４のいずれか一項に記載の水処理用濾材。
【請求項６】
請求項１から５のいずれか一項に記載の水処理用濾材を槽内に備えた浄化槽。
【発明の詳細な説明】
【技術分野】
【０００１】
本発明は、液体の進入を許す開口部を有する容器状の第１担体と、第１担体の内部に収納された圧縮性などの第２担体とを有する水処理用濾材、及び、同水処理用濾材を槽内に備えた浄化槽に関する。
【背景技術】
【０００２】
この種の水処理用濾材に関連する先行技術文献情報として下記に示す特許文献１がある。この特許文献１に記された水処理用濾材は、通水穴を備えた卵形の保持体（容器状の第１担体）に繊維塊などの担体（第２担体）が充填された構成を有するので、第２担体を単独で使用する場合よりも全体形状が大きくなるため、例えば流動床式の浄化槽で用いる場合に粗いスクリーンでも流出を防止、担体の追加や回収も容易に行うことができるとされている。
【０００３】
尚、特許文献１に記された水処理用濾材では、保持体（第１担体）の内部へ担体（第２担体）を収納する目的で、卵形の保持体は、互いに対称形状の上半体と下半体とを中に第２担体を閉じ込めた状態で接合することで形成されている。
【先行技術文献】
【特許文献】
【０００４】
【特許文献１】特開平７−８８４９３号公報（０００９段落、図２）
【発明の概要】
【発明が解決しようとする課題】
【０００５】
しかし、特許文献１に記された水処理用濾材では、一つの保持体（第１担体）の内部に複数の比較的小さな担体（第２担体）を充填する構成であるため、収納された担体が通水穴から抜け落ち難いように、通水穴を小さめにする必要があった。
【０００６】
その結果、保持体（第１担体）の内部に対する液体の円滑な出入りが実現され難い、また、担体内などで繁殖した微生物によって分解された有機物が、保持体（第１担体）から自由に排出され難いなどの問題が生じて、十分に高い処理効率が得られ難い虞があった。
【０００７】
また、特許文献１に記された水処理用濾材では、上半体と下半体とを接合して保持体を完成させる工程の途中で複数の担体（第２担体）を収納する構成とされているが、例えば上半体と下半体との双方に適量の担体（第２担体）を入れた状態で両半体を接合する操作は難度が高く、他方、多量の担体（第２担体）が蓄積された容器内で上半体と下半体とを接合する方法では保持体（第１担体）の内容積に対する担体（第２担体）の占有率の制御が難しく、また、製造工程の機械化が難しいため、いずれにしても、担体（第２担体）の占有率が適切に調整された水処理用濾材を獲得することは困難を伴うという問題があった。
【０００８】
本発明の目的は、上に例示した従来技術による水処理用濾材が与える課題に鑑み、収納された担体が通水穴から抜け落ち難いという要件を満たしつつ、通水穴（液体の進入を許す開口部）を大きめに設定可能とすることで、結果的に、十分に高い処理効率が得られ易い水処理用濾材、及び、同水処理用濾材を槽内に備えた浄化槽を提供することにある。
【０００９】
また、本発明の他の目的は、上に例示した従来技術による水処理用濾材が与える課題に鑑み、すくなくとも被処理水中における保持体（第１担体）の内容積に対する担体（第２担体）の占有率を適切な所定値に調整可能であり、しかも、保持体（第１担体）の内部に担体（第２担体）を収納する操作が比較的容易な水処理用濾材、及び、同水処理用濾材を槽内に備えた浄化槽を提供することにある。
【課題を解決するための手段】
【００１０】
本発明による水処理用濾材の特徴構成は、容器状の第１担体の内部に、単一の第２担体が収納されている水処理用濾材であって、前記第１担体は、一体的に形成され、外形及び内面形状が概して立方体状を呈し、前記第２担体は、外形形状が概して立方体状を呈し、吸水によって膨張する連続気孔を含む多孔質の材料からなり、前記第１担体は、立方体を構成する６面の全てに液体の進入及び流出を許す複数の開口部が形成され、前記開口部のうち少なくとも１つの開口部は、水を吸収する前の前記第２担体を前記第１担体の内部に押し込むように収納可能な大きさに形成され、前記第２担体は、前記第１担体の内部に収納された状態で水を吸収すると、膨張期間の間に前記第１担体の内面を構成する６面に沿った姿勢へと調整される点にある。
【００１１】
上記の特徴構成を備えた水処理用濾材では、単一でありながら第１担体の内部で適切な占有率となる概して大きめの第２担体を用いるので、開口部を大きめに設定しても第２担体が抜け落ちる虞は十分に抑制され、その結果、十分に高い処理効率が得られ易くなった。また、吸水によって膨張する第２担体を用いるので、第１担体の内部に第２担体を収納する際には、吸水によって膨張する前の比較的小さな第２担体をハンドリングすればよいので、収納の操作も容易となる。
【００１２】
上記の特徴構成を備えた水処理用濾材では、一つの第１担体に一つの第２担体を収納すればよいので、その収納操作は単純で容易であり、製造工程の機械化も比較的容易である。さらに、第２担体の吸水による膨張率さえ判っていれば、すくなくとも被処理水中における第１担体の内容積に対する第２担体の見掛け体積の占有率を適切な所定値に調整することが可能である。
【００１３】
また、上記の特徴構成を備えた水処理用濾材では、容器状の第１担体の内部に単一の第２担体が収納された状態の水処理用濾材を水中に入れると、第２担体は開口部から進入してきた水を少しずつ吸収することで概して低速度で時間を掛けて膨張するので、第２担体はその比較的長い膨張期間の間に、第１担体の内面形状に対して過度な応力を受けない無理のない姿勢に調整され易い。そして、第１担体に対するこの第２担体の無理のない最終姿勢は、一般に微生物が第２担体の表面や内部で効率的に繁殖し、担体で繁殖した微生物によって分解された有機物が自由に排出されるのに最も適した姿勢である。
【００２８】
本構成であれば、前記第１担体の外形が空間充填立体すなわち一定の空間内に同じ形状の立体を隙間無く充填可能な立体の一つである立方体状を呈しているため、前記第１担体の外形が卵形や球形を呈している構成に比べて、一定の内容積の箱や袋に充填可能な水処理用濾材の数量や質量を高めることができ、搬送に要するコストを削減できる。また、同様の理由で、水処理用濾材を適用する浄化槽などの内部においても、一定容積の処理空間内により多くの水処理用濾材を適用できるため、高い処理能力を期待できる。
【００２９】
また、本構成であれば、第２担体の外形も立方体状を呈しているため、大きな塊状の原材料から適切なサイズで簡単に切り出すことができるなど、第２担体を製造する操作が容易である。
【００３０】
さらに、本構成であれば、第２担体の外形が第１担体の内面形状と一致しているので、両者の形状が互いに異なっている構成に比べて、水を吸収して膨張した第２担体が、局部的に過剰な応力などを受けることなく、第１担体の内面の隅々にまで行き渡り易くなり、微生物の健全な繁殖が促されて、高い処理能力を期待できる。
【００３２】
本構成であれば、第１担体は既に完成した容器状の形に一体形成されているので、従来技術のように上半体と下半体とを所定の向きで対向させて接合するなどの面倒な工程が全く不要である。
本発明の他の特徴構成は前記第２担体の膨張時の寸法が前記第１担体の内寸法の０．９〜１．１倍となるように前記第２担体の膨張時の外形寸法あるいは前記第１担体の内寸法を定めてある点にある。
本発明の他の特徴構成は、前記複数の開口部どうしを区切る区切り部の形状が、前記第１担体の上下の２面を除く４つの側面で十字状である点にある。
本発明の他の特徴構成は、前記第１担体は、上面に設けられた区切り部と下面に設けられた区切り部とが、上下の軸芯に沿った投影面上で互いに補完し合うように配置されている点にある。
本発明の他の特徴構成は、前記第１担体の８つの角部は丸みを帯びた形状を備えている点にある。
【００３３】
本発明による浄化槽の特徴構成は、上記の各請求項のいずれか一項に記載の水処理用濾材を槽内に備えている点にある。
【００３４】
上記の特徴構成を備えた浄化槽では、槽内に備えられた水処理用濾材を構成する容器状の第１担体から第２担体が抜け落ち難いため、浄化槽において抜け落ちた第２担体が流出したりする虞がなくなり、長期的に安定した処理が行える。また、第２担体は多孔質であるので微生物の繁殖・保持力が高く、浄化槽の生物処理能力を高めることができる。
【図面の簡単な説明】
【００３５】
【図１】本発明に係る水処理用濾材の製造工程及び作用を示す斜視図である。
【図２】容器状担体のための金型セットを示す斜視図である。
【図３】金型セットによる容器状担体の成形過程を示す一部破断斜視図である。
【発明を実施するための形態】
【００３６】
以下に本発明を実施するための形態について図面を参照しながら説明する。
図１は、本発明による水処理用濾材の製造工程の一部及び水処理用濾材を水中に浸漬した際の作用を示す。
（水処理用濾材の概略構成）
本発明による水処理用濾材は、硬質樹脂製の容器状担体１（第１担体の一例）と、単一のスポンジ状担体２０Ｂ（第２担体の一例）とからなる複合型の水処理用濾材である。
【００３７】
図１の上段に示すように、本実施形態では、容器状担体１とスポンジ状担体２０Ｂとはいずれも立方体状を呈しており、水を吸収する前のスポンジ状担体２０Ｂを構成する立方体の一辺は、容器状担体１の内面を構成する立方体の一辺の約４／５とされている。
容器状担体１の立方体を構成する６面の全てに、液体の進入及び流出を許す複数の開口部５が形成されている。
【００３８】
スポンジ状担体２０Ｂは、連続気孔を含む多孔質の材料からなり、十分な圧縮性を備えるので、図１の上段に示すように、水を吸収する前のスポンジ状担体２０Ｂを開口部５の一つから容器状担体１の内部に押し込むように収納することができる。容器状担体１の内部にスポンジ状担体２０Ｂが収納された状態の例を図１の中段に示す。
【００３９】
図１の中段に例示する、スポンジ状担体２０Ｂを内部に収納した容器状担体１を浄化槽などの水中に浸漬すると、スポンジ状担体２０Ｂは水を吸収して膨張し、その内部に微生物が繁殖する。この複合型の水処理用濾材は、浄化槽の固定床あるいは流動床の槽内に適用可能であり、スポンジ状担体２０Ｂは容器状担体１に囲まれているため、流動床の槽内に使用する場合でもスポンジ状担体２０Ｂの摩耗を抑制することができ、水処理性能を維持することができる。また、本実施形態では容器状担体１とスポンジ状担体２０Ｂはいずれも立方体状で、スポンジ状担体２０Ｂが膨張して容器状担体１との隙間を埋めるようになるので、容器状担体１内での無駄な空間がなくなり、生物処理性能を高めることができる。
【００４０】
本実施形態では、スポンジ状担体２０Ｂはポリウレタン樹脂の一種で構成されており、水中に浸漬されると膨潤を開始し、最終的に図１の下段に例示するように、元の体積の約２倍まで膨張するため、スポンジ状担体２０Ｂの見掛け体積が容器状担体１の内容積とほぼ等しくなり、容器状担体１の内面に内接した状態が得られる。
ここで、見掛け体積とは、スポンジ状担体２０Ｂの内部や表面付近に存在する気孔を無視した、スポンジ状担体２０Ｂの外形の体積を指す。
【００４１】
スポンジ状担体２０Ｂの膨張完了後の見かけ体積が容器状担体１の内容積と同じで、スポンジ状担体２０Ｂの表面と容器状担体１の内面が内接した状態が生物処理的に最も望ましいが、スポンジ状担体２０Ｂの見かけ体積が容器状担体１の内容積の５０％以上（容器状担体１の内面形状とスポンジ状担体２０Ｂの外形が相似形状の場合、容器状担体１の内面形状の内寸法とそれに対応するスポンジ状担体２０Ｂの外辺の寸法の割合が８０％以上）であれば、浄化槽内などの水流によって水処理用濾材が移動する間も、スポンジ状担体２０Ａは容器状担体１に対して著しい相対移動や姿勢変更を起こしにくいので、微生物が効率的に繁殖し且つ保持しやすくなり水処理の性能を高めることができる。
【００４２】
また、スポンジ状担体２０Ｂの見かけ体積が容器状担体１の内容積の２００％以下（容器状担体１の内面形状とスポンジ状担体２０Ｂの外形が相似形状の場合、容器状担体１の内面形状の内寸法とそれに対応するスポンジ状担体２０Ｂの外辺の寸法の割合が１２５％以下）であれば、スポンジ状担体２０Ｂの表面が容器状担体１の内壁面からの圧力による内部気孔の縮みも少なく、微生物の繁殖に対する影響が少ない。一方、スポンジ状担体２０Ｂの膨張による容器状担体１への圧力も少ないので、容器状担体１の強度を過度に高める必要がなくなる。
【００４３】
通常、スポンジ状担体２０Ｂの膨張時の寸法誤差は±１０％程度であるので、スポンジの内部気孔を潰さずに外形を保ちたい場合は、スポンジ状担体２０Ｂの膨張時の寸法が容器状担体１の内寸法の１０％程度小さいようにスポンジ状担体２０Ｂの膨張時の外形寸法あるいは容器状担体１の内寸法を定めることが望ましい（この場合、スポンジ状担体２０Ａの外形寸法の最小ばらつき値は容器状担体１の内面形状の内寸法の約８０％となる）。逆に、スポンジ状担体２０Ｂの容器状担体１内で動いてしまうことによる磨耗を押さえる意図でスポンジ状担体２０Ｂを容器状担体１内で動かすことなく確実に固定したい場合は、スポンジ状担体２０Ｂの膨張時の寸法が容器状担体１の内寸法の１０％程度大きいようにスポンジ状担体２０Ｂの膨張時の外形寸法あるいは容器状担体１の内寸法を定めることが望ましい（この場合、スポンジ状担体２０Ａの外形寸法の最大ばらつき値は容器状担体１の内面形状の内寸法の約１２５％となる）。
【００４４】
スポンジ状担体２０Ｂの内部に形成されている連続気孔の一部は非常に微細なため、スポンジ状担体２０Ｂの膨潤は低速度であり、しかも、容器状担体１の内面形状とスポンジ状担体２０Ｂの外形とは共に単純な立方体状なので、仮に容器状担体１に対するスポンジ状担体２０Ｂの収納姿勢が図１の中段に示す状態とは異なる任意の姿勢であっても、その比較的長い膨潤期間の間に、スポンジ状担体２０Ｂは、スポンジ状担体２０Ｂの外形を構成する６面の全てが容器状担体１の内面を構成する６面に沿った好都合な姿勢へと次第に調整される。
【００４５】
ここで、容器状担体１の内容積とは、各開口部５を占める空間を無視した、立方体状の内部空間の容積を指すものとする。この内部空間の形状は後述する区切り部６の全ての内面と同時に接している。
【００４６】
本実施形態で用いるスポンジ状担体２０Ｂの場合、例えば、一辺が１ｃｍの立方体状に切り出したスポンジ状担体２０Ｂを１５〜２５℃の一般的な水道水に浸漬すると、浸漬後から最終的な約２倍の見掛け体積まで膨潤するまでに数秒〜数分を要する。
【００４７】
容器状担体１の立方体を構成する６面の個々に設けられた複数の開口部５どうしを区切る区切り部６の形状は、図１における上下の２面を除く４つの側面では十字状であるが、上下の２面では単なる十字状とは異なる形状を呈している。
【００４８】
全ての開口部５は吸水によって膨張する前のスポンジ状担体２０Ｂの外形寸法よりも十分に小さいので、図１の中段に示す状態で輸送してもスポンジ状担体２０が開口部５から抜け落ちる虞はない。当然ながら、水を吸収して膨張してからのスポンジ状担体２０が浄化槽で水処理用濾材として用いている際などに開口部５から抜け落ちる虞もない。
【００４９】
スポンジ状担体２０Ｂが最終的な約２倍の見掛け体積まで膨潤すると、容器状担体１とスポンジ状担体２０Ｂからなる複合型の水処理用濾材の実質的な比重は、一般的な浄化槽における被処理水の流れによって最も流動し易い約０．９〜１．２となる。
【００５０】
容器状担体１の角部が隣接した容器状担体１の開口部５に引っ掛かった状態になり難いように、容器状担体１の８つの角部は丸みを帯びた形状を備えている。
【００５１】
スポンジ状担体２０Ｂを、容器状担体１の一つの開口部を介して、容器状担体１の内部に収納する操作に際しては、スポンジ状担体２０Ｂを開口部５の面積よりも小さく押し縮めたまま開口部５から容器状担体１の内部に挿入させる特殊な専用装置（不図示）を作製し、同装置を用いて収納することができるが、専用装置を用いずに、作業者が指先による操作でスポンジ状担体２０Ｂを開口部５から容器状担体１の内部に押し込むことも可能である。
【００５２】
（成形装置）
容器状担体１は、上面２に設けられた区切り部６Ａと下面３に設けられた区切り部６Ｂとが、上下の軸芯Ｘに沿った投影面上で互いに概して補完し合う形状を備えている。
すなわち、下面３に設けられた区切り部６Ｂと、上面２に設けられた４つの区切り部６Ａの間に形成された平面視で十字状の開口部とは、平面視で概して十字状の略一致した形状を備えている。
容器状担体１は、このような特殊な形状を備えるので、以下に示す金型セットを有する射出成形装置を用いて成形することが可能である。
【００５３】
図２に示す金型セットは、主に容器状担体１の下面３を成形するための下部固定型８と、主に容器状担体１の上面２を成形するための上部可動型９と、主に容器状担体１の４つの側面４を成形するための４つの側部可動型１０とを有する。４つの側部可動型１０は、互いに対向配置される一対の第１側部可動型１０Ａ，１０Ｂと、互いに対向配置される一対の第２側部可動型１０Ｃ，１０Ｄとからなる。
【００５４】
下部固定型８の上面には、容器状担体１の上面２に形成すべき４つの区切り部６Ａとそれに対応する４つの開口部５との形状に対応する断面形状の４つの第１形中子８Ａが上向きに立設されている。
上部可動型９の下面には、容器状担体１の下面３に形成すべき１つの区切り部６Ｂの形状に対応する断面形状の１つの第２形中子９Ａが下向きに立設されている。
【００５５】
４つの側部可動型１０の各側面には、容器状担体１の４つの側面に十字状の区切り部６Ｃによって区切られた状態で形成すべき４つの矩形の開口部５の形状に対応する断面形状の４つの第４形中子１１が横向きに立設されている。
【００５６】
そこで、上部可動型９の中子９Ａが下部固定型８の４つの中子８Ａの間に挿入されるように、下部固定型８の４つの中子８Ａの各上端面が上部可動型９の平坦な下面に当接するまで上部可動型９を下部固定型８に近接移動すると、上部可動型９の下面付近と下部固定型８の上面付近のみに区切り部６Ａ，６Ｂの厚さと対応する上下に薄い間隙空間が得られ、残りの領域には中央部も含めて実質的に間隙が全くない状態が得られる。
【００５７】
次に、このようにして全部で５個の中子８Ａ，９Ａ，９Ｂによって得られた立方体状の塊の互いに対向する２つの側面に対して合計８つの中子１１が押付けられるように、一対の第１側部可動型１０Ａ，１０Ｂを横移動し、さらに、同塊の別の２つの側面に対して合計８つの中子１１が押付けられるように、一対の第２側部可動型１０Ｃ，１０Ｄを横移動する。
【００５８】
このようにして図３に示す状態で、上部可動型９と第１側部可動型１０Ａ，１０Ｂと第２側部可動型１０Ｃ，１０Ｄとを下部固定型８に対して固定し、下部固定型８に設けられた注入路８Ｃを介して外部から溶融状態の樹脂を射出し、樹脂の固化後に各可動型を取り外せば、図１に示す形状の容器状担体１が得られる。
【００５９】
（浄化槽の構成）
上記の水処理用濾材を浄化槽に適用する場合、浄化槽内部の固定床あるいは流動床の槽内に水処理用濾材を備えた浄化槽の構成が挙げられる。水処理用濾材は固定床の槽内に静置させてあっても流動床の槽内で被処理水と共に流動させてあってもよい。水処理用濾材の容器状担体１は一体的に成形されているので外力に強く、水処理用濾材を槽内に投入する際や水処理中の処理水流れによって、容器状担体１が槽内あるいは他の担体に衝突しても破損したり摩耗する虞を低減できる。また、スポンジ状担体２０Ａは容器状担体１の内部に収納されているので摩耗する虞を大幅に低減することができ、その微生物の繁殖・保持能力を損なうことがなくなる。よって、浄化槽内における生物処理を長期的に安定して行うことができる。
【００６０】
〔別実施形態〕
〈１〉容器状の第１担体は必ずしも上記実施形態に示した容器状担体１のように立方体である必要はなく、例えば平面視で六角形の外形を備えた筒状の容器状担体１としてもよい。ここで、平面視で六角形の筒状の容器状担体１は、軸芯方向の向きを一定に揃えるという条件の下で、空間充填立体すなわち一定の空間内に同じ形状の立体を間隙なく充填可能な立体の立方体以外の例として採用される。このような形状の容器状担体１は、中子部の形状を変更すれば、図２に示す金型セットを用いた射出成形によって一体成形することができる。
【００６１】
〈２〉尚、容器状の第１担体は必ずしも空間充填立体である必要はなく、例えば平面視で円形の外形を備えた筒状の容器状担体１などとしてもよい。この場合も、中子部の形状を変更すれば、図２に示す金型セットを用いた射出成形によって容器状担体１を一体成形することができる。
【００６２】
〈３〉容器状担体１は必ずしも射出成形によって成形する必要はなく、例えば消失法で一体成形することも可能である。消失法では、例えば、立方体の各面に容器状担体１の開口部の形状に対応する凸状部を設けた原型（不図示）をロストワックスなどで作製し、この原型を内部が立方体状の金型セット（不図示）の内部に閉じ込め、金型と原型の間に形成された空間に溶融状態の樹脂またはバインダーを含んだセラミック粉体のスラリーなどを注入し、固化した注入物を金型から取り出し、最後に原型に用いた材料と注入物との溶融温度の違いを利用して、加熱などによって原型のみを流し出す。
【００６３】
〈４〉容器状担体１は必ずしも一体成形する必要はなく、例えば、立方体状の容器状担体１の場合は、立方体の６面を構成する５つの側面部によって形成される容器状本体の正方形の開口面が残った一つの側面部によって蓋状に閉じられる構成とするなど、様々な成形形態が可能である。
【００６４】
〈５〉容器状担体１の内面に中心向きに突出したフィン状やピン状の突起（不図示）を設けることが可能である。これらの突起は中に収納された第２担体の移動や抜け落ちを抑制する効果を有する。
【００６５】
〈６〉スポンジ状担体２０Ｂは必ずしも容器状担体１の内部に収納する前の段階から容器状担体１の内面形状と合同或いは相似形である必要はなく、例えば、容器状担体１の内面形状が立方体状である場合に、例えば外力が及ばない状態では矩形板状または棒状のスポンジ状担体２０Ｂを容器状担体１の内部に収納し、このような形状のスポンジ状担体２０Ｂが、容器状担体１の内部における吸水に基づく膨張の過程で、容器状担体１の内壁面との当接によって曲げられ或いは折り畳まれて容器状担体１の内面形状と合同或いは相似形な最終形状となる形態で実施することも可能である。
また、上記の各実施形態ではスポンジ状担体２０Ｂをポリウレタン樹脂の一種で構成していたが、これに限らず、給水によって膨張する材質であればよい。
【産業上の利用可能性】
【００６６】
液体の進入を許す開口部を有する容器状の第１担体と、第１担体の内部に収納された圧縮性などの第２担体とを有する水処理用濾材に従来見られた課題を解決するための技術として利用可能な発明である。
【符号の説明】
【００６７】
１      容器状担体（第１担体）
５      開口部
２０Ｂ  スポンジ状担体（第２担体）
【図１】
0005869353.tif 000002
【図２】
0005869353.tif 000003
【図３】
0005869353.tif 000004